【手続補正書】
【提出日】平成17年10月7日(2005.10.7)
【手続補正１】
【補正対象書類名】明細書
【補正対象項目名】特許請求の範囲
【補正方法】変更
【補正の内容】
【特許請求の範囲】
【請求項１】  送信装置と受信装置とで通信を行う通信方法において、
前記送信装置は、通信相手を識別する識別符号の一部分を抽出した部分識別符号を含む接続信号を前記受信装置が受信するのに必要な時間以上連続して繰り返し送出したのちに、前記識別符号を含むデータ信号を送信し、
前記受信装置は、前記送信装置からの接続信号を受信し前記接続信号内の部分識別符号と受信装置の備える識別符号の一部分とが一致することを確認したときにデータ信号の受信処理を行い、
前記送信装置は、前記接続信号を繰り返す毎に、前記識別符号から前記部分識別符号を抽出する部分を変更することを特徴とした通信方法において、
前記送信装置は、繰り返し送信する前記接続信号中にその接続信号の送信回数値と前記部分識別符号とを含めて送信し、前記受信装置は、受信した接続信号内の前記送信回数値を用いて前記部分識別符号と前記受信装置の備える識別符号の一部分とが一致することを確認する通信方法。
【請求項２】  送信装置と受信装置とで通信を行う通信方法において、
前記送信装置は、通信相手を識別する識別符号の一部分を抽出した部分識別符号を含む接続信号を前記受信装置が受信するのに必要な時間以上連続して繰り返し送出したのちに、前記識別符号を含むデータ信号を送信し、
前記受信装置は、前記送信装置からの接続信号を受信し前記接続信号内の部分識別符号と受信装置の備える識別符号の一部分とが一致することを確認したときにデータ信号の受信処理を行い、
前記送信装置は、前記接続信号を繰り返す毎に、前記識別符号から前記部分識別符号を抽出する部分を変更することを特徴とした通信方法において、
前記送信装置は、繰り返し送信する前記接続信号中に前記部分識別符号とその抽出する部分の位置を示す位置特定符号とを含めて送信し、前記受信装置は、受信した接続信号内の前記位置特定符号を用いて前記部分識別符号と前記受信装置の備える識別符号の一部分とが一致することを確認する通信方法。
【請求項３】  前記送信装置は、前記接続信号を繰り返し送信しながら前記部分識別符号を抽出する部分を変更するときに、前記接続信号を最初から最後まで受信すると前記識別符号全体を少なくとも含むように抽出することを特徴とした請求項１または２記載の通信方法。
【請求項４】  前記送信装置は、前記接続信号を繰り返し送信しながら前記部分識別符
号を抽出する部分をランダムに変更することを特徴とした請求項１または２記載の通信方法。
【請求項５】  請求項１〜４のいずれか１項に記載の通信方法をコンピュータで実行するプログラム。
【手続補正２】
【補正対象書類名】明細書
【補正対象項目名】００１９
【補正方法】変更
【補正の内容】
【００１９】
【課題を解決するための手段】
本発明は上記課題を解決するために、送信装置と受信装置とで通信を行うときに、送信装置は、通信相手を識別する識別符号の一部分を抽出した部分識別符号を含む接続信号を受信装置が受信するのに必要な時間以上連続して繰り返し送出したのちに識別符号を含むデータ信号を送信し、受信装置は、送信装置からの接続信号を受信し接続信号内の部分識別符号と受信装置の備える識別符号の一部分とが一致することを確認したときにデータ信号の受信処理を行い、送信装置は、接続信号を繰り返す毎に部分識別符号の抽出部分を変更するものである。そして、送信装置は接続信号中にその接続信号の送信回数値と部分識別符号とを含めて送信し、受信装置は接続信号内の送信回数値を用いて部分識別符号と受信装置の備える識別符号の一部分とが一致することを確認するものである。
【手続補正３】
【補正対象書類名】明細書
【補正対象項目名】００２０
【補正方法】変更
【補正の内容】
【００２０】
上記発明によれば、接続信号を繰り返す毎に部分識別符号の抽出部分が変わるので、自身の識別符号に似た識別符号が存在しても受信装置は接続信号を繰り返し受信する途中で識別でき受信を中断することができる。そして、受信装置は送信回数値によって部分識別符号の抽出位置がわかるので接続信号の途中から受信しても確実に識別符号を比較することができる。
【手続補正４】
【補正対象書類名】明細書
【補正対象項目名】００２２
【補正方法】変更
【補正の内容】
【００２２】
すなわち、請求項１記載の発明のように、送信装置は接続信号を繰り返す毎に部分識別符号の抽出部分を変更するものである。そして、接続信号を繰り返す毎に部分識別符号の抽出部分が変わるので、自身の識別符号に似た識別符号が存在しても受信装置は接続信号を繰り返し受信する途中で識別でき受信を中断することができる。
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】変更
【補正の内容】
【００２４】
そして、送信装置は接続信号中にその接続信号の送信回数値と部分識別符号とを含めて送信し、受信装置は接続信号内の送信回数値を利用して部分識別符号と受信装置の備える識別符号の一部分とが一致することを確認するものである。そして、受信装置は送信回数値によって部分識別符号の抽出位置がわかるので接続信号の途中から受信しても確実に識別符号を比較することができる。
【手続補正７】
【補正対象書類名】明細書
【補正対象項目名】００２５
【補正方法】変更
【補正の内容】
【００２５】
また、請求項２記載の発明のように、送信装置は接続信号に部分識別符号の抽出位置を示す位置特定符号を併せて送信し、受信装置は接続信号内の位置特定符号を利用して部分識別符号と受信装置の備える識別符号の一部分とが一致することを確認するものである。そして、受信装置は位置特定符号によって部分識別符号の抽出位置がわかるので送信装置が抽出位置を自在に変更しても受信装置は確実に識別符号を比較することができる。
【手続補正８】
【補正対象書類名】明細書
【補正対象項目名】００２６
【補正方法】変更
【補正の内容】
【００２６】
そして、請求項３記載の発明のように、送信装置は接続信号を繰り返し送信しながら部分識別符号の抽出部分を変更するときに接続信号を最初から最後まで受信すると識別符号全体を少なくとも含むように抽出するものである。そして、繰り返し送信する接続信号を受信する途中で識別符号全体がわかるので、自身の識別符号に似た識別符号が存在しても受信装置は接続信号を繰り返し受信する途中で確実に識別でき受信を中断することができる。
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】変更
【補正の内容】
【００２８】
また、請求項４記載の発明のように、送信装置は接続信号を繰り返し送信しながら部分識別符号の抽出部分をランダムに変更するものである。そして、部分識別符号の抽出部分をランダムに変更するので受信装置は接続信号を受信する途中で特定の識別符号の受信中断が常に遅れるということをなくすことができる。
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００７３
【補正方法】削除
【補正の内容】
【手続補正１４】
【補正対象書類名】明細書
【補正対象項目名】００７５
【補正方法】削除
【補正の内容】
【手続補正１５】
【補正対象書類名】明細書
【補正対象項目名】００７６
【補正方法】変更
【補正の内容】
【００７６】
接続信号を繰り返す毎に部分識別符号の抽出部分が変わるので、自身の識別符号に似た識別符号が存在しても受信装置は接続信号を繰り返し受信する途中で識別でき受信を中断することができる。
【手続補正１６】
【補正対象書類名】明細書
【補正対象項目名】００７７
【補正方法】削除
【補正の内容】
【手続補正１７】
【補正対象書類名】明細書
【補正対象項目名】００７８
【補正方法】変更
【補正の内容】
【００７８】
受信装置は送信回数値によって部分識別符号の抽出位置がわかるので接続信号の途中から受信しても確実に識別符号を比較することができる。
【手続補正１８】
【補正対象書類名】明細書
【補正対象項目名】００７９
【補正方法】変更
【補正の内容】
【００７９】
受信装置は位置特定符号によって部分識別符号の抽出位置がわかるので送信装置が抽出位置を自在に変更しても受信装置は確実に識別符号を比較することができる。
【手続補正１９】
【補正対象書類名】明細書
【補正対象項目名】００８０
【補正方法】変更
【補正の内容】
【００８０】
繰り返し送信する接続信号を受信する途中で識別符号全体がわかるので、自身の識別符号に似た識別符号が存在しても受信装置は接続信号を繰り返し受信する途中で確実に識別でき受信を中断することができる。
【手続補正２０】
【補正対象書類名】明細書
【補正対象項目名】００８１
【補正方法】削除
【補正の内容】
【手続補正２１】
【補正対象書類名】明細書
【補正対象項目名】００８２
【補正方法】変更
【補正の内容】
【００８２】
部分識別符号の抽出部分をランダムに変更するので受信装置は接続信号を受信する途中で特定の識別符号の受信中断が常に遅れるということをなくすことができる。
【手続補正２２】
【補正対象書類名】明細書
【補正対象項目名】００８３
【補正方法】削除
【補正の内容】
【手続補正２３】
【補正対象書類名】明細書
【補正対象項目名】００８４
【補正方法】削除
【補正の内容】